【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
通信するための装置であって、
少なくとも１つのデバイスから１つまたは複数のビーコンを受信することと、
前記少なくとも１つのデバイスから受信されたビーコン負荷を処理すること、ここにおいて、前記ビーコン負荷を処理することは、前記受信されたビーコン負荷が基準を満たすかどうかを決定することを備える、と、
前記少なくとも１つのデバイスによって減らされるべき前記ビーコン負荷の量を決定することと、
前記受信されたビーコン負荷が前記基準を満たす場合にビーコン負荷を減らすための要求を生成すること、ここにおいて、前記ビーコン負荷を減らすための前記要求を生成することは、前記少なくとも１つのデバイスによって減らされるべき前記ビーコン負荷の前記量を含むように前記ビーコン負荷を減らすための前記要求を生成することを備える、と
を行うように構成される、処理システムと、
前記少なくとも１つのデバイスへの送信のために前記ビーコン負荷を減らすための前記要求を出力するためのインターフェースと
を備える、装置。
【請求項２】
前記処理システムは、少なくとも１つのデバイスから受信された通信を処理することと、前記通信から前記基準を特定すること、前記基準は、前記装置に対する少なくとも総ビーコン負荷閾値を備える、と、前記ビーコン負荷が前記総ビーコン負荷閾値以上であるかどうかを決定することとを行うようにさらに構成される、
請求項１に記載の装置。
【請求項３】
前記処理システムは、ビーコン送信頻度を減らすための要求またはビーコンサイズを減らすための要求の少なくとも１つを備えるように、前記ビーコン負荷を減らすための前記要求を生成することを行うようにさらに構成される、
請求項１に記載の装置。
【請求項４】
前記処理システムは、前記ビーコン負荷が前記総ビーコン負荷閾値に等しくないように、または前記総ビーコン負荷閾値を超えないように、減らされるべき前記ビーコン負荷の前記量を決定することを行うようにさらに構成され、
特に、減らされるべき前記ビーコン負荷の前記量の前記決定は、前記ビーコン負荷から前記総ビーコン負荷閾値より大きい値を差し引くことを備える、
請求項２に記載の装置。
【請求項５】
前記処理システムは、前記少なくとも１つのデバイスに起因する前記ビーコン負荷の部分を決定することと、前記少なくとも１つのデバイスへの送信のために前記ビーコン負荷を減らすための前記要求を生成することとを行うようにさらに構成される、
請求項１に記載の装置。
【請求項６】
前記処理システムは、前記装置の前記ビーコン負荷を前記総ビーコン負荷閾値以下となるように減らすであろう、前記少なくとも１つのデバイスに対する新たなビーコン送信頻度または新たなビーコン送信サイズの少なくとも１つを決定することを行うようにさらに構成されるか、または、
前記処理システムは、前記ビーコン負荷が前記総ビーコン負荷閾値を超えないように、前記少なくとも１つのデバイスに対して減らすべき提案されるビーコン負荷を計算することを行うようにさらに構成され、前記少なくとも１つのデバイスの第１に対して減らすべき前記提案されるビーコン負荷が、前記少なくとも１つのデバイスの第２に対して減らすべき前記提案されるビーコン負荷と異なる、
請求項２に記載の装置。
【請求項７】
前記ビーコン負荷を減らすための前記生成された要求は、前記受信されたビーコン負荷、基本サービスセット識別情報ごとのビーコン負荷、または、提案されるビーコン負荷低減基準の少なくとも１つを備える、
請求項１に記載の装置。
【請求項８】
装置による通信の方法であって、
１つまたは複数のデバイスから少なくとも１つのビーコンを受信することと、
前記１つまたは複数のデバイスから受信されるビーコン負荷を処理すること、前記処理することは、前記受信されたビーコン負荷が基準を満たすかどうかを決定することを含む、と、
前記１つまたは複数のデバイスによって減らされるべき前記ビーコン負荷の量を決定することと、
前記受信されたビーコン負荷が前記基準を満たす場合、ビーコン負荷を減らすための要求を生成すること、ここにおいて、前記ビーコン負荷を減らすための前記要求を生成することは、前記１つまたは複数のデバイスによって減らされるべき前記ビーコン負荷の前記量を含むように前記ビーコン負荷を減らすための前記要求を生成することを備える、と、
前記１つまたは複数のデバイスへの送信のために、前記ビーコン負荷を減らすための前記要求を出力することと
を備える、方法。
【請求項９】
前記１つまたは複数のデバイスのうちの少なくとも１つから受信される通信を処理することと、
前記１つまたは複数のデバイスのうちの前記少なくとも１つから受信された前記通信から前記基準を特定することと
をさらに備え、前記基準は、前記装置に対する少なくとも総ビーコン負荷閾値を備え、前記１つまたは複数のデバイスからの前記受信されたビーコン負荷が前記基準を満たすかどうかを決定することは、前記１つまたは複数のデバイスからの前記ビーコン負荷が前記総ビーコン負荷閾値以上であるかどうかを決定することを備える、
請求項８に記載の方法。
【請求項１０】
前記ビーコン負荷を減らすための前記要求を生成することは、ビーコン送信頻度またはビーコンサイズの少なくとも１つを減らすための前記要求を生成することを備えるか、または、
前記１つまたは複数のデバイスの各々に起因する前記ビーコン負荷の部分を決定することと、前記ビーコン負荷の前記部分に起因する、前記１つまたは複数のデバイスの各々への前記ビーコン負荷を減らすための前記要求を送信することとをさらに備える、
請求項８に記載の方法。
【請求項１１】
前記ビーコン負荷が前記総ビーコン負荷閾値に等しくないように、または前記総ビーコン負荷閾値を超えないように、減らされるべき前記ビーコン負荷の前記量を決定することをさらに備え、
特に、減らされるべき前記ビーコン負荷の前記量を決定することは、前記ビーコン負荷から前記総ビーコン負荷閾値より大きい値を差し引くことを備える、
請求項９に記載の方法。
【請求項１２】
前記装置の前記受信されたビーコン負荷を前記総ビーコン負荷閾値以下となるように減らすであろう、前記１つまたは複数のデバイスに対する新たなビーコン送信頻度または新たなビーコン送信サイズの少なくとも１つを決定することをさらに備えるか、または、
前記ビーコン負荷が前記総ビーコン負荷閾値を超えないように、前記１つまたは複数のデバイスに対して減らすべき提案されるビーコン負荷を計算することをさらに備え、前記１つまたは複数のデバイスの第１のデバイスに対して減らすべき前記提案されるビーコン負荷は、前記１つまたは複数のデバイスの第２のデバイスに対して減らすべき前記提案されるビーコン負荷と異なる、
請求項９に記載の方法。
【請求項１３】
前記ビーコン負荷を減らすための要求を生成することは、受信されたビーコン負荷、基本サービスセット識別情報ごとのビーコン負荷、または、提案されるビーコン負荷低減基準の少なくとも１つを含むように、前記ビーコン負荷を減らすための前記要求を生成することを備える、
請求項８に記載の方法。
【請求項１４】
ワイヤレス通信のためのワイヤレスノードであって、
アンテナと、
少なくとも１つのデバイスから１つまたは複数のビーコンを受信することと、
前記少なくとも１つのデバイスから受信されたビーコン負荷を処理すること、ビーコン負荷は前記アンテナを介して受信された少なくとも１つのビーコンを備え、前記ビーコン負荷を処理することは、前記受信されたビーコン負荷が基準を満たすかどうかを決定することを備える、と、
前記少なくとも１つのデバイスによって減らされるべき前記ビーコン負荷の量を決定することと、
前記受信されたビーコン負荷が前記基準を満たす場合、ビーコン負荷を減らすための要求を生成すること、ここにおいて、前記ビーコン負荷を減らすための前記要求を生成することは、前記少なくとも１つのデバイスによって減らされるべき前記ビーコン負荷の前記量を含むように前記ビーコン負荷を減らすための前記要求を生成することを備える、と
を行うように構成される処理システムと、
前記アンテナを介した前記少なくとも１つのデバイスへの送信のために前記要求を出力するためのインターフェースと
を備える、ワイヤレスノード。
【請求項１５】
実行されると、装置に請求項８〜１３のいずれか一項に記載の方法のステップを実行させる命令が符号化された、コンピュータ可読記憶デバイスを備えるコンピュータプログラム製品。
【手続補正２】
【補正対象書類名】明細書
【補正対象項目名】００７０
【補正方法】変更
【補正の内容】
【００７０】
[0078]上記は本開示の態様を対象とするが、本開示の他の態様およびさらなる態様が、その基本的範囲から逸脱することなく考案されてよく、その範囲は以下の特許請求の範囲によって決定される。
以下に、本願の出願当初の特許請求の範囲に記載された発明を付記する。
［Ｃ１］
通信するための装置であって、
前記装置のビーコン負荷を検出することと、前記検出されたビーコン負荷が基準を満たす場合にビーコン負荷を減らすための要求を生成することとを行うように構成される、処理システムと、
送信のために前記要求を出力するためのインターフェースと
を備える、装置。
［Ｃ２］
前記処理システムは、少なくとも１つのデバイスから受信された通信を処理することと、前記通信から前記基準を特定すること、前記基準は、前記装置に対する少なくとも総ビーコン負荷閾値を備える、と、前記ビーコン負荷が前記総ビーコン負荷閾値以上であるかどうかを決定することとを行うようにさらに構成される、
Ｃ１に記載の装置。
［Ｃ３］
前記処理システムは、ビーコン送信頻度を減らすための要求またはビーコンサイズを減らすための要求の少なくとも１つを備えるように、前記ビーコン負荷を減らすための前記要求を生成することを行うようにさらに構成される、
Ｃ１に記載の装置。
［Ｃ４］
前記処理システムは、前記ビーコン負荷が前記総ビーコン負荷閾値に等しくないように、または前記総ビーコン負荷閾値を超えないように、減らされるべき前記ビーコン負荷の量を決定することを行うようにさらに構成される、
Ｃ２に記載の装置。
［Ｃ５］
減らされるべき前記ビーコン負荷の前記量の前記決定は、前記ビーコン負荷から前記総ビーコン負荷閾値より大きい値を差し引くことを備える、
Ｃ４に記載の装置。
［Ｃ６］
前記処理システムは、少なくとも１つのデバイスに起因する前記ビーコン負荷の部分を決定することと、前記少なくとも１つのデバイスへの送信のために前記ビーコン負荷を減らすための前記要求を生成することとを行うようにさらに構成される、
Ｃ１に記載の装置。
［Ｃ７］
前記処理システムは、前記少なくとも１つのデバイスによって減らされるべき前記ビーコン負荷の量を決定することと、前記少なくとも１つのデバイスへの送信のために前記少なくとも１つのデバイスにより減らされるべき前記ビーコン負荷の前記量を含むように前記ビーコン負荷を減らすための前記要求を生成することとを行うようにさらに構成される、
Ｃ２に記載の装置。
［Ｃ８］
前記処理システムは、前記装置の前記ビーコン負荷を前記総ビーコン負荷閾値以下となるように減らすであろう、前記少なくとも１つのデバイスに対する新たなビーコン送信頻度または新たなビーコン送信サイズの少なくとも１つを決定することを行うようにさらに構成される、
Ｃ２に記載の装置。
［Ｃ９］
前記処理システムは、前記ビーコン負荷が前記総ビーコン負荷閾値を超えないように、前記少なくとも１つのデバイスに対して減らすべき提案されるビーコン負荷を計算することを行うようにさらに構成され、前記少なくとも１つのデバイスの第１に対して減らすべき前記提案されるビーコン負荷が、前記少なくとも１つのデバイスの第２に対して減らすべき前記提案されるビーコン負荷と異なる、
Ｃ２に記載の装置。
［Ｃ１０］
前記ビーコン負荷を減らすための前記生成された要求は、前記検出されたビーコン負荷、基本サービスセット識別情報ごとのビーコン負荷、または、少なくとも１つのデバイスへの送信のための提案されるビーコン負荷低減基準の少なくとも１つを備える、
Ｃ１に記載の装置。
［Ｃ１１］
装置による通信の方法であって、
１つまたは複数のデバイスから受信されるビーコン負荷を処理すること、前記処理することは、前記１つまたは複数のデバイスからの前記受信されたビーコン負荷が基準を満たすかどうかを決定することを含む、と、
前記受信されたビーコン負荷が前記基準を満たさない場合、前記ビーコン負荷を減らすための要求を生成することと、
前記１つまたは複数のデバイスへの送信のために、前記ビーコン負荷を減らすための前記要求を出力することと
を備える、方法。
［Ｃ１２］
少なくとも第２のデバイスから受信される通信を処理することと、
少なくとも前記第２のデバイスから受信された前記通信から前記基準を特定することと  をさらに備え、前記基準は、前記装置に対する少なくとも総ビーコン負荷閾値を備え、前記１つまたは複数のデバイスからの前記受信されたビーコン負荷が基準を満たすかどうかを決定することは、前記１つまたは複数のデバイスからの前記ビーコン負荷が前記総ビーコン負荷閾値以上であるかどうかを決定することを備える、
Ｃ１１に記載の方法。
［Ｃ１３］
前記ビーコン負荷を減らすための前記要求を生成することは、ビーコン送信頻度またはビーコンサイズの少なくとも１つを減らすための前記要求を生成することを備える、
Ｃ１１に記載の方法。
［Ｃ１４］
前記ビーコン負荷が前記総ビーコン負荷閾値に等しくないように、または前記総ビーコン負荷閾値を超えないように、減らされるべき前記ビーコン負荷の量を決定することをさらに備える、
Ｃ１２に記載の方法。
［Ｃ１５］
減らされるべき前記ビーコン負荷の前記量を決定することは、前記ビーコン負荷から前記総ビーコン負荷閾値より大きい値を差し引くことを備える、
Ｃ１４に記載の方法。
［Ｃ１６］
前記１つまたは複数のデバイスの各々に起因する前記ビーコン負荷の部分を決定することと、前記ビーコン負荷の前記部分に起因する、前記１つまたは複数のデバイスの各々への前記ビーコン負荷へと減らすための前記要求を送信することとをさらに備える、
Ｃ１１に記載の方法。
［Ｃ１７］
前記１つまたは複数のデバイスによって減らされるべき前記ビーコン負荷の量を決定することをさらに備え、前記ビーコン負荷を減らすための前記要求を生成することは、前記１つまたは複数のデバイスによって減らされるべき前記ビーコン負荷の前記量を含むように前記ビーコン負荷を減らすための要求を生成することを備える、
Ｃ１２に記載の方法。
［Ｃ１８］
前記装置の前記検出されたビーコン負荷を前記総ビーコン負荷閾値以下となるように減らすであろう、前記１つまたは複数のデバイスに対する新たなビーコン送信頻度または新たなビーコン送信サイズの少なくとも１つを決定することをさらに備える、
Ｃ１２に記載の方法。
［Ｃ１９］
前記ビーコン負荷が前記総ビーコン負荷閾値を超えないように、前記１つまたは複数のデバイスに対して減らすべき提案されるビーコン負荷を計算することをさらに備え、前記１つまたは複数のデバイスの第１のデバイスに対して減らすべき前記提案されるビーコン負荷は、前記１つまたは複数のデバイスの第２のデバイスに対して減らすべき前記提案されるビーコン負荷と異なる、
Ｃ１２に記載の方法。
［Ｃ２０］
前記ビーコン負荷を減らすための要求を生成することは、検出されたビーコン負荷、基本サービスセット識別情報ごとのビーコン負荷、または、提案されるビーコン負荷低減基準の少なくとも１つを含むように、前記ビーコン負荷を減らすための前記要求を生成することを備える、
Ｃ１１に記載の方法。
［Ｃ２１］
ワイヤレス通信のためのワイヤレスノードであって、
アンテナと、
処理システムと
を備え、前記処理システムは、
前記ワイヤレスノードのビーコン負荷を処理すること、ビーコン負荷は前記アンテナを介して受信された少なくとも１つのビーコンを備える、と
前記ビーコン負荷が基準を満たすかどうかを決定することと、
前記ビーコン負荷が前記基準を満たす場合、ビーコン負荷を減らすための要求を生成することと
を行うように構成される、ワイヤレスノード。
［Ｃ２２］
実行されると、装置にワイヤレス通信の方法を実行させる命令が符号化された、コンピュータ可読記憶デバイスを備えるコンピュータプログラム製品であって、前記方法は、  １つまたは複数のデバイスからビーコン負荷を受信することと、
前記１つまたは複数のデバイスからの前記受信されたビーコン負荷が基準を満たすかどうかを決定することと、
前記受信されたビーコン負荷が前記基準を満たさない場合、前記ビーコン負荷を減らすための要求を生成することと、
前記１つまたは複数のデバイスに、前記ビーコン負荷を減らすための前記要求を送信することと
を備える、コンピュータプログラム製品。